(57)【要約】【課題】  デザイン性を向上することができる可変表示構造を提供すること。【解決手段】  カラーフィルタ４は、第１印刷部分４ｂと、第２印刷部分４ｃと、第３印刷部分４ｄと、背景印刷部分４ｅを備え、透光性と反射性を有し、第１光源６及び第２光源７のカラーフィルタ４を透過した光は透過させるとともに、第１光源６及び第２光源７のカラーフィルタ４が光を透過させない部分では反射により自らの形状を見せるハーフミラーリング３を、カラーフィルタ４の表示側に備えた。【選択図】        図１
2009080145.tif 000002
【特許請求の範囲】
【請求項１】
透光性シートに波長の異なる第１光源の光と第２光源の光を切り換えて発光させ、前記透光性シートに入射させてなり、
第１表示と第２表示を行わせる可変表示構造であって、
前記シートは、
第１光源の光のみを透過させる第１印刷部分と、
第２光源の光のみを透過させる第２印刷部分と、
第１光源の光と第２光源の光を透過させる第３印刷部分と、
第１光源の光と第２光源の光を透過しない背景印刷部分と、
を備え、
表面が透光性と反射性を有し、前記シートを透過した前記第１光源及び前記第２光源からの光を前方に透過させるとともに、前方からの光を受けて、該前方に反射するハーフミラー体を、前記シートの表示側に備えた、
ことを特徴とする可変表示構造。
【請求項２】
請求項１に記載の可変表示構造において、
前記ハーフミラー体は、
前記第１印刷部分または前記第２印刷部分、あるいは前記第３印刷部分と重なる位置で、且つ前記シート側の面に凹形状又は凸形状部分を備えた、
ことを特徴とする可変表示構造。
【請求項３】
請求項１又は請求項２に記載の可変表示構造において、
前記ハーフミラー体は、車両メータの外枠を形成するメータリングである、
ことを特徴とする可変表示構造。
【請求項４】
請求項１〜請求項３のいずれか１項に記載の可変表示構造において、
前記第１光源を点灯させる状態と、前記第２光源を点灯させる状態の切り替えを、入力信号で行うようにしたことを特徴とする可変表示構造。
【発明の詳細な説明】
【技術分野】
【０００１】
本発明は、光源の発光色を切替えにより複数の表示を切替える可変表示構造の技術分野に属する。
【背景技術】
【０００２】
従来では、照明装置から第１波長領域及び第２波長領域の光が照射可能であり、第１波長領域の光が実質的に指示体フィールドの第１の領域のみを通過可能であり、第２波長領域の光が実質的に指示体フィールドの第２の領域のみを通過可能であり、第２の領域は、指示体フィールドの第１の領域とは部分的に異なるものであるようにし、第１波長領域及び第２波長領域の光を切替えることにより２種類の異なる表示をおこなっている（例えば、特許文献１参照。）。
【特許文献１】特開２００１−１００６７９号公報（第２−８頁、全図）
【発明の開示】
【発明が解決しようとする課題】
【０００３】
しかしながら、従来の可変表示構造に対して、デザイン性、例えば立体感、素材感、機能感、視認性、斬新性を向上する要求があった。
【０００４】
本発明は、上記問題点に着目してなされたもので、その目的とするところは、デザイン性を向上することができる可変表示構造を提供することにある。
【課題を解決するための手段】
【０００５】
上記目的を達成するため、本発明では、透光性シートに波長の異なる第１光源の光と第２光源の光を切り換えて発光させ、前記透光性シートに入射させてなり、第１表示と第２表示を行わせる可変表示構造であって、前記シートは、第１光源の光のみを透過させる第１印刷部分と、第２光源の光のみを透過させる第２印刷部分と、第１光源の光と第２光源の光を透過させる第３印刷部分と、第１光源の光と第２光源の光を透過しない背景印刷部分と、を備え、表面が透光性と反射性を有し、前記シートを透過した前記第１光源及び前記第２光源からの光を前方に透過させるとともに、前方からの光を受けて、該前方に反射するハーフミラー体を、前記シートの表示側に備えた、ことを特徴とすることを特徴とする。
【発明の効果】
【０００６】
よって、本発明にあっては、従来の可変表示構造に対して、デザイン性を向上することができる。
【発明を実施するための最良の形態】
【０００７】
以下、本発明の可変表示構造を実現する実施の形態を、請求項１，２，３に係る発明に対応する実施例１に基づいて説明する。
【実施例１】
【０００８】
まず、構成を説明する。
図１は実施例１の可変表示構造のメータリングの一部の正面図である。図２図１のＡ−Ａ断面の説明図である。図３は可変表示構造のメータリングのハーフミラーリングを説明のために省略した一部の正面図である。
実施例１では、車両の車室内に設けられるメータのパネルに配置されるメータリングに可変表示構造を用いている。
すなわち、以下に示す構造を車両メータの一部に用いていることになる。
【０００９】
車両メータは、メータパネルの目盛りを表示する部分あるいは、目盛りの外周側の装飾部分に、以下に示すメータリング構造を備えている。
メータリングは、適度な透過率と反射性を有し、金属調の塗装を施したハーフミラーを、図１に示すようにリング形状にしたハーフミラーリング３を設けている。例えば、透過率７０％程度、反射率２０％程度のハーフミラーで形成したものを例としてあげておく。
【００１０】
ハーフミラーリング３は、図２に示すように、前面側である表示側の断面形状が、内周より外周が高く、凹凸により意匠が形成された形状である。
さらに、表示側と反対側に配置された基板の側の面に、表示側に凹となる環状の凹形状部３１を設ける。なお、表示側には凸形状部分３２を設けるが、詳細は後述する。
【００１１】
ハーフミラーリング３の形状について、さらに説明する。
ハーフミラーリング３は、図２に示すように、カラーフィルタ４に接する面は、凹形状部３１以外が平面である。そして、表示側の面は、内側に、内周縁から外周方向に行くに従ってやや高くなるように、且つ、図１に示すように、メータの目盛りのように放射状の凸形状で複数円周配置された凸形状部分３２が設けられる。凸形状部分３２の平面形状は図１に示すように略扇形状である。
凸形状部分３２以外の表示側の面で、且つ内側は、図２において、凸形状部分３２と外縁側部分との間の低い高さの平面形状にする。これを平面部分３３とする。
そして、ハーフミラーリング３の表示側の面の外周側は、外周方向に行くに従って高くなり、外縁に高い位置で環状の面を形成する。これを外縁部分３４とする。
【００１２】
さらにメータリングは、ハーフミラーリング３の下部、つまり表示側と反対側に、図３に示すようにカラーフィルタ４を設け、そのさらに下方には、基板上に実装した第１光源６と第２光源７を設けている。
第１光源６は、波長が約４７０nmをピークとする青色の発光を行うLEDである。
第２光源７は、波長が約６３０nmをピークとする赤色の発光を行うLEDである。
【００１３】
次に、図２、図３に示すカラーフィルタ４の構成について説明する。
図４は、実施例１の可変表示構造における波長と透過率の関係を示すグラフ図である。
カラーフィルタ４は、透明なシート４ａの前面に、第１印刷部分４ｂ、第２印刷部分４ｃ、第３印刷部分４ｄ、背景印刷部分４ｅを設けている。
第１印刷部分４ｂは、第１光源６の光を透過し、第２光源７の光を透過しない図４の符号２３の線の特性を持つ印刷部分である。
【００１４】
第２印刷部分４ｃは、第２光源７の光を透過し、第１光源６の光を透過しない図４の符号２１の線の特性を持つ印刷部分である。
第３印刷部分４ｄは、第１光源６の光と第２光源７の光の両方を透過させる図４の符号２５の特性を持つ印刷部分である。
背景印刷部分４ｅは、第１光源６の光と第２光源７の光の両方を透過させない特性を持つ印刷部分である。
【００１５】
次にハーフミラーリング３とカラーフィルタ４の対応構造について説明する。
第１印刷部分４ｂと第２印刷部分４ｃは、ハーフミラーリング３の外周側の外縁部分３４の下にハーフミラーリング３と同様に円環形状で配置する。さらに、第１印刷部分４ｂは、第２印刷部分４ｃより内側に配置し、ハーフミラーリング３の凹形状部３１に対向して接する配置となるようにする。
また、ハーフミラーリング３の内周側の高さの低い環状の平面部分３３には、図１に示すように、メータの目盛りのように放射状の凸形状で複数円周配置された凸形状部分３２を設けられている。この凸形状部分３２と重なるカラーフィルタ４の位置に、凸形状部分３２の平面形状と同じ形状で、第３印刷部分４ｄを図３に示すように配置する。
【００１６】
さらに、放射状に複数円周配置した第３印刷部分４ｄの円周方向の間に、図３に示すように、第３印刷部分４ｄの形状より小さい形状で第２印刷部分４ｃを設ける。つまり、中間目盛りを形成するような意匠である。
【００１７】
次に作用を説明する。
[表示作用]
(a)第１表示
図５は実施例１の可変表示構造における第１の表示の説明図である。図６は実施例１の可変表示構造において、第１の表示を行っている状態を示す説明図である。
実施例１において、図５に示す第１表示１１を表示させるには、第１光源６を点灯させ、第２光源７を消灯させる。
第１光源６から発せられた青色光は、透明なシート４ａを通過し、各印刷部分に向かうことになる。
【００１８】
第１印刷部分４ｂでは、図４の線２３と線２４の関係に示すように、第１光源６の光を通過させる。
次に、第２印刷部分４ｃでは、図４の線２１と線２４の関係に示すように、第１光源６の青色光を透過しない。これにより背景と同様に表示しない部分となる。なお、カラーフィルタ４の表示されない部分では、ハーフミラーリング３の金属調に塗装された立体形状が見えることになる。
次に、第３印刷部分４ｄでは、図４の線２４と線２５の関係に示すように、第１光源６の青色光を透過する。
背景印刷部分４ｅは、第１光源６の光と第２光源７の光の両方を透過させない。
これにより、図５に示すように第１表示１１が表示される。
【００１９】
さらに説明すると、第１印刷部分４ｂと第３印刷部分４ｄを透過した表示光は、ハーフミラーリング３を通して表示される。そのため、立体形状に青い光が透過して見えるメータリング２となり、非常にデザイン性の高いものとなる。
さらに、第１表示１１では、第１印刷部分４ｂを透過した表示光が、ハーフミラーリング３を通して表示される際に、ハーフミラーリング３のカラーフィルタ４側に設けた凹形状部３１も通る。そのため、凹形状部３１の形状が浮かび上がるように表示される。これは第１光源６の青色光とともに浮かび上がることになり、非常にデザイン性の高いものとなる。この形状は、第１光源６が非点灯の場合には、第２光源７が点灯しても、見えることがない形状部分である。そのため、本実施例１の可変表示構造では、光源を切り替えることにより、異なる色、意匠とともに、異なる形状を表示することができ、非常にデザイン性を高めた表示を行うことができる（図６参照）。
【００２０】
(b)第２表示
図７は実施例１の可変表示構造における第２の表示の説明図である。図８は実施例１の可変表示構造において、第２の表示を行っている状態を示す説明図である。
実施例１において、図７に示す第２表示１２を表示させるには、第２光源７を点灯させ、第１光源６を消灯させる。
第２光源７から発せられた赤色光は、透明なシート４ａを通過し、各印刷部分に向かうことになる。
【００２１】
第１印刷部分４ｂでは、図４の線２２と線２３の関係に示すように、第２光源７の赤色光を透過させない。よって、背景と同様に表示しない部分を構成する。なお、カラーフィルタ４の表示されない部分では、ハーフミラーリング３の金属調に塗装された立体形状が見えることになる。
第２印刷部分４ｃでは、図４の線２１と線２２の関係に示すように、第２光源７の光を通過させる。
次に、第３印刷部分４ｄでは、図４の線２２と線２５の関係に示すように、第１光源６の光を透過する。
背景印刷部分４ｅは、第１光源６の光と第２光源７の光の両方を透過させない。
これにより、図７に示すように第２表示１２が表示される。
【００２２】
さらに説明すると、第２印刷部分４ｃと第３印刷部分４ｄを透過した表示光は、ハーフミラーリング３を通して表示される。そのため、立体形状に赤い光が透過して見えるメータリング２となり、非常にデザイン性の高いものとなる（図８参照）。
さらに、目盛りの近い放射状の形状で、第３印刷部分４ｄの円周状の配置の間に設けた第２印刷部分４ｃが赤色光で表示されることになる。
【００２３】
この表示部分は、第２光源７が非点灯の場合には、第１光源６が点灯しても、見えることがない表示部分である。そのため、本実施例１の可変表示構造では、光源を切り替えることにより、異なる色、意匠を表示することができ、非常にデザイン性を高めた表示を行うことができる（図７参照）。
【００２４】
なお、この第２光源７の点灯状態では、ハーフミラーリング３の凹形状部３１は表示側からは見えない。この部分では、ハーフミラーリング３の反射率により表面に塗装された金属調の表示が見えることになる。
【００２５】
(c)非点灯時
第１光源６、第２光源７ともに非点灯の場合には、ハーフミラーリング３が外光や照明に対して、適度な反射率を持つためにその外形形状を塗装された金属調の色彩により見せることになる（図１参照）。
【００２６】
次に、効果を説明する。
実施例１の可変表示構造にあっては、下記に列挙する効果を得ることができる。
【００２７】
(1)透光性のあるカラーフィルタ４に波長の異なる第１光源６の光と第２光源７の光を切り換えて投光させ、第１表示１１と第２表示１２を行わせる可変表示構造であって、カラーフィルタ４は、第１光源６の光のみを透過させる第１印刷部分４ｂと、第２光源７の光のみを透過させる第２印刷部分４ｃと、第１光源６の光と第２光源７の光を透過させる第３印刷部分４ｄと、第１光源６の光と第２光源７の光を透過しない背景印刷部分４ｅを備え、透光性と反射性を有し、第１光源６及び第２光源７のカラーフィルタ４を透過した光は透過させるとともに、第１光源６及び第２光源７のカラーフィルタ４が光を透過させない部分では反射により自らの形状を見せるハーフミラーリング３を、カラーフィルタ４の表示側に備えたため、従来の可変表示構造に対して、デザイン性を向上することができる。
【００２８】
(2)ハーフミラーリング３は、第１印刷部分４ｂまたは第２印刷部分４ｃ、あるいは第３印刷部分４ｄと重なる位置で、且つカラーフィルタ４の側に凹ませて形状を形成した凹形状部３１を備えたため、対応する光源を点灯させた際にのみ、凹形状部３１をハーフミラーリング３の形状として浮かび上がらせるように表示させることができ、光源の切り替えにより、表示する形状を変更することができ、さらにデザイン性を向上することができる。
【００２９】
(3)ハーフミラーリング３は、車両メータ１の外枠を形成するメータリング２であるため、車両の評価につながる重要な意匠である車両メータ１のデザイン性を向上させることができる。
【００３０】
（他の実施例）
実施例１の可変表示構造を用いた車両メータ１では、例えば、車速、操作による切り替え、自動変速機のスポーツモードやマニュアルモードと通常モードなどが生じたことを基板５に信号入力することにより、第１表示１１と第２表示１２を切り替えるようにしてもよい。
このように車両の状態に連携させれば、表示の切り替えに意味を持たせることができ、デザイン性の向上に加えて、その切り替え状態を見やすく車両の乗員に認識させることができる。
つまり、このようにすれば、上記(1)〜(3)の効果に加えて、以下の効果を有する。
(4)第１光源６を点灯させる状態と、第２光源７を点灯させる状態の切り替えを、入力信号で行うようにしたため、デザイン性の向上に加えて、関連付けされた状態の切り替えを見やすく使用者に認識させることができる。
【００３１】
図９、図１０に示すのは、ハーフミラーリング３の凹形状部３１の他の例を示す図である。
例えば、図９(b)に示すような複数並列した溝形状の凹形状部３１とすることにより、図９(a)に示すような筋形状の形状表示１３を透過時に見せることができる。
また、図１０(b)に示すような矩形形状から錘形状に凹んだ凹形状部３１とすることにより、図１０(a)に示すような外側が矩形で錘形状のある形状表示１４を透過時に見せることができる。
このように、凹形状部３１の形状は他の形状であってもよい。
【実施例２】
【００３２】
実施例２に示す可変表示構造は、携帯電話機に用いた例である。
図１１は実施例２の可変表示構造を用いた携帯電話機の説明図である。図１２は第１光源、第２光源を非点灯にした表示状態の説明図である。図１３は、第１光源を点灯させた第１表示の説明図である。図１４は、第２光源を点灯させた第２表示の説明図である。
【００３３】
構造を説明する。
実施例２では、図１１に示すように、携帯電話機３０の液晶画面３６、ボタン３７の反対側となる表面３５に可変表示構造を設ける。
つまり、図１１に示すような折り畳み方式の携帯電話機３０において、液晶画面３６の表面をハーフミラー部３１０にし、その奥側に図示しないカラーフィルタ４、第１光源６、第２光源７を設ける。
【００３４】
そして、第１印刷部分４ｂにより、図１３に示すイルカ、泡、着信を示す図形の意匠を形成する。次に第２印刷部分４ｃにより、図１４に示すカモメ、雲、メールを示す図形の意匠を形成する。
そして、図１３、図１４の意匠の重なる部分を第３印刷部分４ｄとしてもよいし、図１３、図１４の意匠を重ならない配置とし、第３印刷部分４ｄを設けないものとしてもよい。また、別に第３印刷部分４ｄの意匠を設けるようにしてもよい。
さらに、ハーフミラー部３１０の奥側となる面には、第１印刷部分４ｂの着信を示す図形、及び第２印刷部分４ｃのメールを示す図形を、立体的な凹形状で設けるようにし、凹形状部３１１とする。
その他構成は、実施例１と同様であるので、説明を省略する。
【００３５】
作用を説明する。
[表示作用]
(a)第１表示
実施例２の可変表示構造では、携帯電話機３０に通話のための着信があると、第１光源６を点灯し、第２光源を消灯する。第１光源６を点灯した際には、図１３に示すように、折り畳んだ携帯電話機３０の着色したハーフミラー部３１０に、イルカ、泡、着信を示す図形を青い光で表示し、さらに着信を示す図形を見せる。
【００３６】
(b)第２表示
実施例２の可変表示構造では、携帯電話機３０のメールの着信があると、第２光源７を点灯し、第１光源６を消灯する。第２光源７を点灯した際には、図１４に示すように、折り畳んだ携帯電話機３０の着色したハーフミラー部３１０に、カモメ、雲、メールを示す図形を赤い光で表示し、さらにメールを示す図形を見せる。
【００３７】
(c)非表示
実施例２の可変表示構造において、第１光源６、第２光源７を非点灯の状態では、図１２に示すように、折り畳んだ携帯電話機３０の着色したハーフミラー部３１０が、その反射率により着色を見せるのみである。
【００３８】
このように実施例２の可変表示構造では、携帯電話機３０を折り畳んだ表面に、通常時には、何も意匠の見えない面としながらも、点灯時には、意匠と立体的な形状を見せる。さらに、点灯色の切り替えにより、異なる意匠と立体的な形状を見せる。このように、実施例２の可変表示構造を用いることによって、携帯電話機３０のデザイン性を向上させることができる。
【００３９】
効果を説明する。
実施例２の可変表示構造においては、上記(1),(2)に加えて、以下の効果を有する。
(5)ハーフミラー部３１０は、携帯電話機３０の液晶画面３６の反対側となる表面３５を形成するものであるため、着信じとメール着信時、及び通常時で、異なる色、形状、意匠を表示することができ、携帯電話機３０のデザイン性を向上させることができる。
【００４０】
以上、本発明の可変表示構造を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
例えば、第１表示１１、第２表示１２は他の色であってもよい。
印刷には、シルク印刷、凸版印刷、インクジェット印刷、熱転写印刷があり、いずれの印刷によるものでもよい。また、他の印刷によるものであってもよい。
【００４１】
実施例では、ハーフミラーリング３は金属調とし、ハーフミラー部３１０は着色を行うものとしたが、スモークにする、模様を設けるなどであってもよい。非点灯時には、その反射率により、これらを見せることができる。
【産業上の利用可能性】
【００４２】
本願の可変表示構造は、計器の表示部やスイッチ、フィニッシャー等のように、表示が必要な部位、装置の装飾が設けられる表面への利用は容易である。
【図面の簡単な説明】
【００４３】
【図１】実施例１の可変表示構造のメータリングの一部の正面図である。
【図２】図１のＡ−Ａ断面の説明図である。
【図３】可変表示構造のメータリングのハーフミラーリングを説明のために省略した一部の正面図である。
【図４】実施例１の可変表示構造における波長と透過率の関係を示すグラフ図である。
【図５】実施例１の可変表示構造における第１の表示の説明図である。
【図６】実施例１の可変表示構造において、第１の表示を行っている状態を示す説明図である。
【図７】実施例１の可変表示構造における第２の表示の説明図である。
【図８】実施例１の可変表示構造において、第２の表示を行っている状態を示す説明図である。
【図９】ハーフミラーリング３の凹形状部３１の他の例を示す図である。
【図１０】ハーフミラーリング３の凹形状部３１の他の例を示す図である。
【図１１】実施例２の可変表示構造を用いた携帯電話機の説明図である。
【図１２】第１光源、第２光源を非点灯にした表示状態の説明図である。
【図１３】第１光源を点灯させた第１表示の説明図である。
【図１４】第２光源を点灯させた第２表示の説明図である。
【符号の説明】
【００４４】
１  車両メータ
２  メータリング
３  ハーフミラーリング
３１  凹形状部
３２  凸形状部分
３３  平面部分
３４  外縁部分
４  カラーフィルタ
４ａ  シート
４ｂ  第１印刷部分
４ｃ  第２印刷部分
４ｄ  第３印刷部分
４ｅ  背景印刷部分
５  基板
６  第１光源
７  第２光源
１１  第１表示
１２  第２表示
１３  形状表示
１４  形状表示
２１  （第２印刷部分の波長特性を示す）線
２２  （第２光源の波長特性を示す）線
２３  （第１印刷部分の波長特性を示す）線
２４  （第１光源の波長特性を示す）線
２５  （第３印刷部分の波長特性を示す）線
３０  携帯電話機
３５  表面
３６  液晶画面
３７  ボタン
３１０  ハーフミラー部
３１１  凹形状部分
【図１】
2009080145.tif 000003
【図２】
2009080145.tif 000004
【図３】
2009080145.tif 000005
【図４】
2009080145.tif 000006
【図５】
2009080145.tif 000007
【図６】
2009080145.tif 000008
【図７】
2009080145.tif 000009
【図８】
2009080145.tif 000010
【図９】
2009080145.tif 000011
【図１０】
2009080145.tif 000012
【図１１】
2009080145.tif 000013
【図１２】
2009080145.tif 000014
【図１３】
2009080145.tif 000015
【図１４】
2009080145.tif 000016